(57)【要約】【課題】直感的かつ簡易なユーザー操作により、画像形成装置で設定可能な設定項目の設定値を所望の設定値に設定した画像形成指示を行うことを可能にする。【解決手段】表示入力装置は、表示部と、タッチパネルと、操作受付部と、表示制御部と、指示生成部と、通信部と、通信制御部とを備える。通信制御部は、指示生成部が特定した画像形成装置へ、設定可能な画像形成に関する設定項目の一覧と、当該設定項目のデフォルトの設定値と、を示す設定情報を送信すべき旨の指示を送信させる。表示制御部は、画像形成装置から設定情報を受信した設定情報に示される設定項目について、デフォルトの設定値からの設定値の変更を受け付けるための設定画面を表示させる。指示生成部は、ユーザー操作に応じて設定項目の設定値を決定し、当該決定した設定項目の設定値の画像形成指示を生成する。【選択図】図４
2018006928.tif 000002
【特許請求の範囲】
【請求項１】
表示部と、
前記表示部による表示動作を制御する表示制御部と、
前記表示部の前面に配置されるタッチパネルと、
前記タッチパネルに対するユーザー操作を受け付ける操作受付部と、
外部に設けられた複数の画像形成装置との間でデータの送受信が可能な通信部と、
前記通信部による通信動作を制御する通信制御部と、
前記操作受付部が受け付けたユーザー操作に応じて、前記画像形成装置に対する画像形成指示を生成する指示生成部と、を備え、
指示生成部は、前記操作受付部が受け付けたユーザー操作に応じて、画像形成対象のデータ、および前記複数の画像形成装置のなかから、前記画像形成対象のデータに基づく画像形成を行わせる画像形成装置を特定し、
前記通信制御部は、前記通信部に、前記指示生成部が特定した前記画像形成装置へ、前記画像形成装置において設定可能な画像形成に関する設定項目の一覧と、当該設定項目の前記画像形成装置におけるデフォルトの設定値と、を示す設定情報を送信すべき旨の指示を送信させ、
前記表示制御部は、前記通信部が前記画像形成装置から前記設定情報を受信した場合に、前記表示部に、前記設定情報に示される前記設定項目について、前記設定情報に示されるデフォルトの設定値からの設定値の変更を受け付けるための設定画面を表示させ、
前記指示生成部は、前記設定画面において前記操作受付部が受け付けたユーザー操作に応じて前記設定項目の前記設定値を決定し、当該決定した設定項目の設定値で前記画像形成対象のデータに基づく画像形成を行わせる画像形成指示を生成し、
前記通信制御部は、前記通信部に、前記指示生成部が生成した前記画像形成指示を前記画像形成装置へ送信させる、表示入力装置。
【請求項２】
前記表示制御部は、前記表示部に、複数のデータを示す複数のデータアイコン、および、前記複数の画像形成装置を示す複数の装置アイコンが配置された受付画面を表示させ、
前記指示生成部は、前記操作受付部が、前記複数のデータアイコンのうちの１つのデータアイコンに対するフリック操作を受け付けた場合に、当該データアイコンに示されたデータを前記画像形成対象のデータとして特定し、前記複数の装置アイコンのうち前記フリック操作のフリック方向に位置する装置アイコンに示された画像形成装置を、前記画像形成対象のデータに基づく画像形成を行わせる画像形成装置として特定する、請求項１に記載の表示入力装置。
【請求項３】
前記指示生成部は、前記操作受付部が、前記複数のデータアイコンのうちの２つ以上のデータアイコンに対する選択操作を受け付け、その後に当該２つ以上のデータアイコンに対するフリック操作を受け付けた場合に、当該２つ以上のデータアイコンに示されたデータを前記画像形成対象のデータとして特定する、請求項２に記載の表示入力装置。
【請求項４】
前記表示制御部は、前記設定画面に、前記設定画面から前記受付画面に遷移すべき旨の指示を受け付けるための画面遷移ボタンを配置し、前記操作受付部が当該画面遷移ボタンに対する押下操作を受け付けた場合に、前記表示部が表示する画面を前記設定画面から前記受付画面に遷移させ、
前記指示生成部は、遷移後の前記受付画面において、前記操作受付部が、前記複数のデータアイコンのうちの１つのデータアイコンに対するフリック操作を受け付けた場合、当該フリック操作のフリック方向に位置する装置アイコンが、既に画像形成を行わせる画像形成装置として特定されている画像形成装置を示す装置アイコンであるときには、既に前記画像形成対象のデータとして特定されている前記データに加えて、前記データアイコンに示されたデータを前記画像形成対象のデータとして特定する、請求項２に記載の表示入力装置。
【請求項５】
前記通信制御部は、前記通信部に前記設定情報を送信すべき旨の指示を送信させる前に、前記指示生成部が特定した前記画像形成装置と通信可能であるか否かを判定する処理を行い、
前記表示制御部は、前記表示部に、前記画像形成対象のデータとして特定したデータに対応するデータアイコンと、前記画像形成を行わせる画像形成装置として特定した画像形成装置に対応する装置アイコンとを結ぶ矢印画像を前記受付画面内に表示させる、請求項２に記載の表示入力装置。
【請求項６】
前記表示制御部は、前記操作受付部が受け付けた前記フリック操作のフリック方向が前記複数の装置アイコンのうちの２つの装置アイコンの間に位置する場合に、当該２つの装置アイコンに対応する２つの画像形成装置のうちの何れの画像形成装置に画像形成を行わせるかを受け付けるための受付画面を前記表示部に表示させ、
前記指示生成部は、前記操作受付部が前記受付画面において受け付けたユーザー操作に応じて前記２つの画像形成装置から選択された１つの画像形成装置を、前記画像形成を行わせる画像形成装置として特定する、請求項２に記載の表示入力装置。
【請求項７】
前記指示生成部は、前記操作受付部が受け付けた前記フリック操作のフリック方向が前記複数の装置アイコンのうちの２つの装置アイコンの間に位置する場合に、当該２つの装置アイコンに対応する２つの画像形成装置を、前記画像形成を行わせる画像形成装置として特定する、請求項２に記載の表示入力装置。
【請求項８】
前記指示生成部は、前記画像形成指示に、前記デフォルトの設定値から変更された設定項目の設定値を含め、前記デフォルトの設定値から変更されていない設定項目の設定値を含めない、請求項１乃至請求項７の何れか１項に記載の表示入力装置。
【請求項９】
前記通信部は、前記画像形成装置において前記指示生成部が生成した前記画像形成指示に基づく画像形成が完了した場合に、前記画像形成装置からその旨を示す通知を受信し、
前記表示制御部は、前記表示部に、画像形成が完了したことを示す報知画面を表示させる、請求項１乃至請求項８の何れか１項に記載の表示入力装置。
【請求項１０】
前記通信制御部は、前記通信部に、前記設定情報に加えて、前記デフォルトの設定値で前記画像形成対象のデータに基づく画像形成を行った場合のプレビュー画像を送信すべき旨の指示を前記画像形成装置へ送信させ、
前記表示制御部は、前記通信部が前記画像形成装置から前記設定情報に加えて前記プレビュー画像を受信した場合に、前記表示部に、前記設定画面に前記プレビュー画像を含めた画面を表示させ、前記設定画面において前記操作受付部が受け付けたユーザー操作に応じて前記指示生成部により前記設定項目の前記設定値が変更された場合に、前記プレビュー画像を当該変更後の設定値で前記画像形成対象のデータに基づく画像形成を行った場合のプレビュー画像に変更する、請求項１乃至請求項９の何れか１項に記載の表示入力装置。
【発明の詳細な説明】
【技術分野】
【０００１】
本発明は、表示入力装置に関し、特に、タッチパネルに対するユーザー操作に基づき画像形成指示を受け付ける際の表示入力技術に関する。
【背景技術】
【０００２】
近年、タッチパネルを備えた表示入力装置が普及している。当該表示入力装置では、フリック操作やタッチ操作などのジェスチャー操作を受け付けることが可能であり、ユーザーはジェスチャー操作を入力することで様々なデータの処理を装置に行わせることができる。例えば、下記の特許文献１には、データを示すアイコンに対してフリック操作を受け付けた場合に、当該フリック操作で指定される他の表示入力装置へデータを送信する技術が開示されている。当該技術によれば、ユーザーは直感的かつ簡易な操作で、他の表示入力装置へデータを送信することができる。
【先行技術文献】
【特許文献】
【０００３】
【特許文献１】特開２０１１−９６１０２号公報
【発明の概要】
【発明が解決しようとする課題】
【０００４】
表示入力装置の普及にともない、ＰＣ（Personal Computer）からだけでなく、表示入力装置から画像形成装置へデータを指定して当該データに基づく画像形成を行わせる場面が増えている。このような表示入力装置から画像形成装置へ画像形成を行わせる技術に、上記の特許文献１に開示される技術を適用することが考えられる。すなわち、データを示すアイコンに対してフリック操作を受け付けた場合に、当該フリック操作で指定される画像形成装置へ、データに基づく画像形成を行わせることが考えられる。
【０００５】
しかしながら、画像形成時においては用紙サイズなどの様々な設定項目の設定値を設定することができるにも関わらず、上記の場合では設定項目の設定値を所望の設定値に変更することができない。また、画像形成装置の種類により変更可能な設定項目の内容は異なっており、設定項目の設定値を一律に変更することはできない。
【０００６】
本発明は、上記の事情に鑑みなされたものであり、直感的かつ簡易なユーザー操作により、画像形成装置で設定可能な設定項目の設定値を所望の設定値に設定した画像形成指示を行うことを可能にすることを目的とする。
【課題を解決するための手段】
【０００７】
本発明の一局面にかかる表示入力装置は、表示部と、前記表示部による表示動作を制御する表示制御部と、前記表示部の前面に配置されるタッチパネルと、前記タッチパネルに対するユーザー操作を受け付ける操作受付部と、外部に設けられた複数の画像形成装置との間でデータの送受信が可能な通信部と、前記通信部による通信動作を制御する通信制御部と、前記操作受付部が受け付けたユーザー操作に応じて、前記画像形成装置に対する画像形成指示を生成する指示生成部と、を備え、指示生成部は、前記操作受付部が受け付けたユーザー操作に応じて、画像形成対象のデータ、および前記複数の画像形成装置のなかから、前記画像形成対象のデータに基づく画像形成を行わせる画像形成装置を特定し、前記通信制御部は、前記通信部に、前記指示生成部が特定した前記画像形成装置へ、前記画像形成装置において設定可能な画像形成に関する設定項目の一覧と、当該設定項目の前記画像形成装置におけるデフォルトの設定値と、を示す設定情報を送信すべき旨の指示を送信させ、前記表示制御部は、前記通信部が前記画像形成装置から前記設定情報を受信した場合に、前記表示部に、前記設定情報に示される前記設定項目について、前記設定情報に示されるデフォルトの設定値からの設定値の変更を受け付けるための設定画面を表示させ、前記指示生成部は、前記設定画面において前記操作受付部が受け付けたユーザー操作に応じて前記設定項目の前記設定値を決定し、当該決定した設定項目の設定値で前記画像形成対象のデータに基づく画像形成を行わせる画像形成指示を生成し、前記通信制御部は、前記通信部に、前記指示生成部が生成した前記画像形成指示を前記画像形成装置へ送信させる、表示入力装置である。
【発明の効果】
【０００８】
本発明によれば、直感的かつ簡易なユーザー操作により、画像形成装置で設定可能な設定項目の設定値を所望の設定値に設定した画像形成指示を行うことができる。
【図面の簡単な説明】
【０００９】
【図１】本発明の一実施形態にかかる表示入力システムの構成を示す斜視図である。
【図２】本発明の一実施形態にかかる表示入力システムの内部構成を示すブロック図である。
【図３】本発明の一実施形態にかかる携帯端末装置の表示部に表示される印刷指示画面の一例を示す図である。
【図４】本発明の一実施形態にかかる携帯端末装置および画像形成装置の動作の流れを示すフローチャートである。
【図５】（Ａ）および（Ｂ）は、本発明の一実施形態にかかる携帯端末装置の表示部に表示される印刷指示画面の一例を示す図である。
【図６】本発明の一実施形態にかかる携帯端末装置の表示部に表示される設定画面の一例を示す図である。
【図７】変形例２にかかる携帯端末装置の表示部に表示される印刷指示画面の一例を示す図である。
【図８】変形例２にかかる携帯端末装置の表示部に表示される設定画面の一例を示す図である。
【図９】（Ａ）および（Ｂ）は、変形例３にかかる携帯端末装置の表示部に表示される印刷指示画面の一例を示す図である。
【発明を実施するための形態】
【００１０】
以下、本発明の一実施形態にかかる表示入力装置について図面を参照して説明する。
【００１１】
図１は、本発明の一実施形態にかかる表示入力システムの構成を示す斜視図である。図２は、本発明の一実施形態にかかる表示入力システムの内部構成を示すブロック図である。
【００１２】
情報処理システム１は、複数の画像形成装置１０と、複数の画像形成装置１０と通信可能な携帯端末装置２０とを備えている。携帯端末装置２０は、タッチパネル２２０に対するユーザー操作に基づき画像形成指示を生成して、当該生成した画像形成指示を画像形成装置１０へ送信する表示入力装置としての役割を果たす。まず、画像形成装置１０の構成について説明する。
【００１３】
画像形成装置１０は、例えば、コピー機能、プリンター機能、スキャナー機能、及びファクシミリ機能等の複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１４】
装置本体１１は、画像形成部１２０や給紙部１３等を備えて構成されている。
【００１５】
画像形成装置１０が画像形成動作を行う場合は、画像読取部１１０により読み取られた画像等に基づいて、画像形成部１２０が、給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１６】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は後述する表示制御部１０２による制御のもと、画像形成指示や画像形成に関する設定を受け付けるための設定画面等を表示する。
【００１７】
表示部１３０の前面には、タッチパネル１４０が配置されている。タッチパネル１４０は、所謂抵抗膜方式や静電容量方式等のタッチパネルであって、タッチパネル１４０上におけるユーザーによる接触（タッチ）をその接触位置とともに検知する。タッチパネル１４０は、ユーザーによる接触を検知すると、その接触点の座標位置を示す検知信号を後述する操作受付部１０３等に出力する。
【００１８】
操作部１５０は、例えば、メニューを呼び出すメニューキー、メニューを構成するＧＵＩのフォーカスを移動させる矢印キー、メニューを構成するＧＵＩに対して確定操作を行う決定キー等を備えるハードキーである。
【００１９】
記憶部１６０は、ＨＤＤ（Hard Disk Drive）等の大容量の記憶装置である。
【００２０】
通信部１７０は、無線ＬＡＮボード等の通信モジュールから構成されるネットワークインターフェイスである。
【００２１】
画像形成装置１０は、更に、制御ユニット１００を備えている。制御ユニット１００は、ＣＰＵ（Central Processing Unit）、ＲＡＭ(Random Access Memory）、及びＲＯＭ（Read Only Memory）等から構成される。制御ユニット１００は、上記のＲＯＭ又は記憶部１６０に記憶された制御プログラムが上記のＣＰＵに実行されることにより、制御部１０１、表示制御部１０２、操作受付部１０３、認証部１０４、および通信制御部１０５として機能する。なお、制御ユニット１００の制御部１０１、表示制御部１０２、操作受付部１０３、認証部１０４、および通信制御部１０５は、制御プログラムに基づく動作によらず、それぞれハード回路により構成されてもよい。
【００２２】
制御部１０１は、画像形成装置１０の全体的な動作制御を司る。
【００２３】
表示制御部１０２は、表示部１３０による表示動作を制御する機能を有する。表示制御部１０２による制御のもと、表示部１３０に表示される設定画面には、例えば、記録紙のサイズ、画質、ページ集約、排紙先等の詳細な画像形成に関する設定を受け付けるための複数の設定項目が表示される。
【００２４】
操作受付部１０３は、タッチパネル１４０から出力される検知信号に基づき、タッチパネル１４０に対するユーザー操作を受け付ける機能を有する。また、操作受付部１０３は、ハードキー等の操作部１５０を用いたユーザー操作を受け付ける機能を有する。
【００２５】
認証部１０４は、携帯端末装置２０から送信された認証要求に基づき、携帯端末装置２０を認証または非認証することで、携帯端末装置２０から送信される画像形成指示を制御部１０１が実行するか否かを決定する機能を有する。これにより、特定の携帯端末装置以外から送信された画像形成指示を排除することができる。
【００２６】
通信制御部１０５は、通信部１７０を制御して、携帯端末装置２０等とデータの送受信を行う機能を有する。
【００２７】
続いて、携帯端末装置２０の構成について説明する。携帯端末装置２０は、スマートフォン等の携帯モバイル機器であって、制御ユニット２００、表示部２１０、タッチパネル２２０、記憶部２３０、および通信部２４０等を備えている。
【００２８】
表示部２１０は、液晶ディスプレイや有機ＥＬディスプレイ等から構成される。表示部２１０は後述する表示制御部２０２による制御のもと、印刷指示画面等を表示する。
【００２９】
図３は、表示部２１０に表示される印刷指示画面（受付画面）の一例を示す図である。図３に示す印刷指示画面Ｄ１には、携帯端末装置２０に記憶されているデータや、携帯端末装置２０に接続された他の電子機器やネットワーク上に記憶されているデータを示す複数のデータアイコンｄ１、ｄ２、ｄ３が配置されている。データアイコンｄ１、ｄ２、ｄ３は、画像形成装置１０による画像形成対象のデータとしての文書ファイル等のファイルを示す。後述する指示生成部２０４は、データアイコンｄ１、ｄ２、ｄ３に対するフリック操作に応じて、画像形成装置１０に対する画像形成指示を生成する。
【００３０】
また、印刷指示画面Ｄ１には、携帯端末装置２０との間でデータの送受信が可能な複数の画像形成装置１０を示す複数の装置アイコンｍ１、ｍ２、ｍ３が配置されている。装置アイコンｍ１、ｍ２、ｍ３には、画像形成装置の名称とともに、画像形成装置が設置されている位置が示されている。後述する指示生成部２０４は、データアイコンｄ１、ｄ２、ｄ３に対するフリック操作のフリック方向に位置する装置アイコンに示された画像形成装置を、画像形成対象のデータに基づく画像形成を行わせる画像形成装置として特定する。なお、上記の印刷指示画面Ｄ１には、接続可能な複数の画像形成装置１０のうち、認証部１０４による認証が成功した画像形成装置１０を示す装置アイコンのみが配置され、認証部１０４による認証が失敗した画像形成装置１０を示す装置アイコンについては表示されないものとしてもよい。
【００３１】
タッチパネル２２０は、表示部２１０の前面に配置され、ユーザーによる接触を検知すると、その接触点の座標位置を示す検知信号を後述する操作受付部２０３等に出力する。
【００３２】
記憶部２３０は、ＨＤＤ等の大容量の記憶装置である。
【００３３】
通信部２４０は、無線ＬＡＮチップ等の通信モジュールから構成されるネットワークインターフェイスである。
【００３４】
制御ユニット２００は、ＣＰＵ、ＲＡＭ、及びＲＯＭ等から構成される。制御ユニット２００は、上記のＲＯＭ又は記憶部２３０に記憶された表示入力制御プログラムが上記のＣＰＵに実行されることにより、制御部２０１、表示制御部２０２、操作受付部２０３、指示生成部２０４、および通信制御部２０５として機能する。なお、制御ユニット２００の制御部２０１、表示制御部２０２、操作受付部２０３、指示生成部２０４、および通信制御部２０５は、上記の表示入力制御プログラムに基づく動作によらず、それぞれハード回路により構成されてもよい。
【００３５】
制御部２０１は、携帯端末装置２０の全体的な動作制御を司る。制御部２０１は、表示部２１０、タッチパネル２２０、記憶部２３０、および通信部２４０等と接続されている。制御部２０１は、接続されている上記各機構の動作制御や、各機構との間での信号又はデータの送受信を行う。
【００３６】
表示制御部２０２は、表示部２１０による表示動作を制御する機能を有する。
【００３７】
操作受付部２０３は、タッチパネル２２０から出力される検知信号に基づき、タッチパネル２２０に対するユーザー操作を受け付ける機能を有する。
【００３８】
ここでユーザー操作には、フリック操作、タップ操作、ピンチ操作等がある。例えば、ユーザーがタッチパネル２２０上に指を接触させた状態で指をスライド移動させると、タッチパネル２２０は、最初に接触を検出した初期位置から、最後に接触を検出した最終位置までの各移動位置を示す検知信号を操作受付部２０３に出力する。操作受付部２０３は、タッチパネル２２０から出力される上記検知信号から、ユーザーにより入力されたユーザー操作がフリック操作であることを特定する。そして、操作受付部２０３は、フリック操作に対応する制御信号を表示制御部２０２や指示生成部２０４等に出力する。
【００３９】
指示生成部２０４は、操作受付部２０３が受け付けたフリック操作等のユーザー操作に応じて、画像形成装置１０に対する画像形成指示を生成する機能を有する。
【００４０】
通信制御部２０５は、通信部２４０を制御して、画像形成装置１０とデータの送受信を行う機能を有する。特に通信制御部２０５は、通信部２４０に、指示生成部２０４が生成した画像形成指示を画像形成装置１０へ送信させる。
【００４１】
続いて、上記の構成を備える携帯端末装置２０および画像形成装置１０の動作について説明する。図４は、携帯端末装置２０および画像形成装置１０の動作の流れを示すフローチャートである。
【００４２】
操作受付部２０３がタッチパネル２２０に対するユーザー操作に基づき、印刷指示画面を表示すべき旨の指示を受け付けた場合（ステップＳ１０においてＹＥＳ）、表示制御部２０２は、表示部２１０に印刷指示画面を表示させる（ステップＳ１１）。
【００４３】
印刷指示画面の表示後、操作受付部２０３が印刷指示画面に示されたデータアイコンに対するフリック操作を受け付けた場合には（ステップＳ１２においてＹＥＳ）、指示生成部２０４はステップＳ１３の処理を行う。
【００４４】
ステップＳ１３の処理では、指示生成部２０４は、印刷指示画面Ｄ１に配置された複数のデータアイコンのうち、フリック操作がなされた１つのデータアイコンに示されたデータを画像形成対象のデータとして特定する。図５（Ａ）に示す例では、指示生成部２０４は、データアイコンｄ２に示された「文章３.pdf」のデータを画像形成対象のデータとして特定する。また、指示生成部２０４は、印刷指示画面Ｄ１に配置された複数の装置アイコンのうちフリック操作のフリック方向に位置する装置アイコンに示された画像形成装置１０を、画像形成対象のデータに基づく画像形成を行わせる画像形成装置として特定する。図５（Ａ）に示す例では、指示生成部２０４は、装置アイコンｍ２に示された「MFP＿B」を画像形成を行わせる画像形成装置として特定する。
【００４５】
ステップＳ１３の処理後、通信制御部２０５は、ステップＳ１３の処理で特定された画像形成装置１０へ、画像形成装置１０において設定可能な画像形成に関する設定項目の一覧と、当該設定項目の画像形成装置１０におけるデフォルトの設定値と、を示す設定情報を送信すべき旨の指示（設定情報の要求）を通信部２４０に送信させる（ステップＳ１４）。また、通信制御部２０５は、ステップＳ１３の処理で特定した画像形成対象のデータを通信部２４０に送信させる。また、通信制御部２０５は、上記の設定情報に加えて、デフォルトの設定値で画像形成対象のデータに基づく画像形成を行った場合のプレビュー画像を送信すべき旨の指示を通信部２４０に送信させる。
【００４６】
画像形成装置１０の通信部１７０が、ステップＳ１４の処理で送信された設定情報の要求および画像形成対象のドキュメントを受信すると（ステップＳ３０）、画像形成装置１０の制御部１０１は、記憶部１６０に記憶されている設定を参照して、設定情報を生成する（ステップＳ３１）。また、制御部１０１は、デフォルトの設定値でステップＳ３０の処理で受信した画像形成対象のデータに基づく画像形成を行った場合のプレビュー画像を生成する（ステップＳ３２）。そして、画像形成装置１０の通信制御部１０５は、ステップＳ３２の処理で生成した設定情報およびプレビュー画像を携帯端末装置２０へ送信する（ステップＳ３３）。
【００４７】
なお、携帯端末装置２０の通信制御部２０５は、上記のステップＳ１４の処理前に、ステップＳ１３の処理で特定した画像形成装置１０と通信可能であるか否かを判定する処理を行ってもよい。例えば、通信制御部２０５は、通信部２４０に、携帯端末装置２０の認証を求める旨の信号を画像形成装置１０へ送信させる。画像形成装置１０は、上記の信号を受信すると認証部１０４による携帯端末装置２０の認証処理を行う。そして、携帯端末装置２０を認証した場合には、画像形成装置１０の通信制御部１０５は、携帯端末装置２０へ通信が確立したことを示す信号を送信する。携帯端末装置２０の通信制御部２０５は、この信号を受信した場合に、画像形成装置１０と通信可能であると判定する。
【００４８】
通信制御部２０５によりステップＳ１３の処理で特定した画像形成装置１０と通信可能であると判定された場合、表示制御部２０２は、表示部２１０に、画像形成装置１０との通信が確立された旨を示す画像を印刷指示画面Ｄ１内に表示させる。図５（Ｂ）に示す例では、印刷指示画面Ｄ１内に、画像形成対象のデータである「文章３.pdf」を示すデータアイコンｄ２と、画像形成を行わせる画像形成装置として特定した画像形成装置「MFP＿B」を示す装置アイコンｍ２とを結ぶ矢印画像Ｌが表示されており、これにより、ユーザーは、自身の携帯端末装置と画像形成装置「MFP＿B」との間の通信が確立されたことを知ることができる。
【００４９】
携帯端末装置２０の通信部２４０が、ステップＳ３３の処理で送信された設定情報およびプレビュー画像を受信すると（ステップＳ１５）、表示制御部２０２は、表示部２１０に設定画面を表示させる。設定画面は、設定情報に示される設定項目について、設定情報に示されるデフォルトの設定値からの設定値の変更を受け付けるための画面である。
【００５０】
図６は、表示部２１０に表示される設定画面の一例を示す図である。本図に示すように、設定画面Ｄ２には、プレビュー画像を示すプレビュー画面Ｐ１、および設定情報に示された画像形成装置１０において設定可能な設定項目を示したボタンｂ１〜ｂ６が配置されている。ボタンｂ１〜ｂ６には、設定情報に示されるデフォルトの設定値が示されている。例えば、ボタンｂ４には、デフォルトの設定値として「２ｉｎ１」で画像形成を行う設定値が示されている。
【００５１】
また、設定画面Ｄ２には、設定画面Ｄ２から印刷指示画面Ｄ１に遷移させる（戻る）ボタンｂ７、画像形成対象のデータを削除させる削除ボタンｂ８、印刷実行指示を受け付けるための印刷実行ボタンｂ９、および複数の画像形成対象のデータが存在する場合に、その全てのデータに対する印刷実行指示を受け付けるための一括印刷実行ボタンｂ１０が配置されている。
【００５２】
図４に戻って、設定画面Ｄ２において操作受付部２０３が設定値の変更すべき旨の指示を受け付けた場合（ステップＳ１７においてＹＥＳ）、指示生成部２０４は、操作受付部２０３が受け付けたユーザー操作に応じて、設定項目の設定値をデフォルトの値から変更する（ステップＳ１８）。図６に示す例では、例えば、ユーザーがプレビュー画面Ｐ１に表示されたプレビュー画像を閲覧して「２ｉｎ１」ではなく「等倍」で画像形成を行わせたいと考えた場合には、ボタンｂ４を押下してデフォルトの設定値である「２ｉｎ１」から「等倍」の設定値に変更する。操作受付部２０３が当該操作を受け付けた場合、指示生成部２０４は、「集約」の設定項目の設定値を「２ｉｎ１」から「等倍」に変更する。
【００５３】
ステップＳ１８の処理後、表示制御部２０２は、プレビュー画面Ｐ１に示されるプレビュー画像を変更後の設定値で画像形成対象のデータに基づく画像形成を行った場合のプレビュー画像に変更する（ステップＳ１９）。なお、ステップＳ１９の処理において、変更後の設定値を画像形成装置１０へ送信し、画像形成装置１０側で変更後の設定値に基づくプレビュー画像を生成してもよい。
【００５４】
ステップＳ１９の処理後、操作受付部２０３が印刷実行指示を受け付けた場合（ステップＳ２１においてＹＥＳ）、指示生成部２０４は、ステップＳ１８の処理で決定した設定項目の設定値で画像形成対象のデータに基づく画像形成を行わせる画像形成指示を生成する（ステップＳ２２）。そして通信制御部２０５は、通信部２４０に、指示生成部２０４が生成した画像形成指示を画像形成装置へ送信させる。なお、上記のステップＳ２２において、指示生成部２０４は、画像形成指示に全ての設定項目の設定値を含めるのではなく、デフォルトの設定値から変更された設定項目の設定値のみを含め、デフォルトの設定値から変更されていない設定項目の設定値を含めないとしてもよい。
【００５５】
画像形成装置１０の通信部１７０が、ステップＳ２２の処理で送信された画像形成指示を受信すると（ステップＳ３４）、画像形成装置１０の制御部１０１は、当該画像形成指示に従って、画像形成対象のデータに基づく画像を画像形成部１２０に形成させる（ステップＳ３５）。そして、画像形成装置１０の通信制御部１０５は、画像形成が完了した旨の通知を通信部１７０へ送信させる（ステップＳ３５）。
【００５６】
携帯端末装置２０の通信部２４０が画像形成が完了した旨の通知を受信すると（ステップＳ２３）、表示制御部２０２は、表示部２１０に画像形成が完了したことを報知する報知画面を表示させる（ステップＳ２４）。
【００５７】
以上のように本実施の形態にかかる携帯端末装置２０によれば、直感的かつ簡易なユーザー操作により、画像形成装置で設定可能な設定項目の設定値を所望の設定値に設定した画像形成指示を行うことができる。
【００５８】
なお、本発明は、上記の実施の形態の構成に限られず種々の変形が可能である。
【００５９】
＜変形例１＞
上記の実施形態では、印刷指示画面Ｄ１に配置された複数のデータアイコンのうち、１つのデータアイコンに示されたデータに基づく画像形成を行う場合について説明した。変形例１にかかる携帯端末装置では、２つ以上のデータアイコンに示されたデータに基づく画像形成を行う。
【００６０】
具体的には、指示生成部２０４は、操作受付部２０３が印刷指示画面Ｄ１に配置された２つ以上のデータアイコンに対する選択操作を受け付け、その後に当該２つ以上のデータアイコンに対するフリック操作を受け付けた場合に、当該２つ以上のデータアイコンに示されたデータを画像形成対象のデータとして特定する。そして、通信制御部２０５は、当該複数のデータを画像形成対象のデータとして画像形成装置１０へ送信して、画像形成装置１０に画像を形成させる。
【００６１】
このように変形例１にかかる携帯端末装置では、直感的かつ簡易な操作で、設定項目の設定値を設定したうえで、複数のデータに基づく画像形成を行わせることができる。
【００６２】
＜変形例２＞
操作受付部２０３が、設定画面Ｄ２に配置されたボタンｂ７を押下する操作を受け付けた場合、表示制御部２０２は、表示部２１０に表示させる画面を設定画面から印刷指示画面に遷移させる。図７は、この遷移後の印刷指示画面の一例を示す図である。遷移後の印刷指示画面Ｄ３には、遷移前の印刷指示画面Ｄ１に加えて、印刷指示画面Ｄ３から設定画面Ｄ２に遷移させる（戻る）ためのボタンｂ１１が配置されている。
【００６３】
指示生成部２０４は、操作受付部２０３がこの遷移後の印刷指示画面Ｄ３において、複数のデータアイコンのうちの１つのデータアイコンに対するフリック操作を受け付けた場合、当該フリック操作のフリック方向に位置する装置アイコンが、既に画像形成を行わせる画像形成装置として特定されている画像形成装置を示す装置アイコンであるときには、既に画像形成対象のデータとして特定されているデータに加えて、データアイコンに示されたデータを画像形成対象のデータとして特定する。
【００６４】
その後、表示制御部２０２は、表示部２１０に表示させる画面を印刷指示画面Ｄ３から設定画面に変更する。図８は、この設定画面の一例を示す図である。設定画面Ｄ４には、複数のプレビュー画面Ｐ１、Ｐ２が配置され、画像形成対象の複数のデータのプレビュー画像を表示することが可能となっている。
【００６５】
このように、変形例２にかかる携帯端末装置では、変形例１にかかる画像形成装置と同様に、直感的かつ簡易な操作で、設定項目の設定値を設定したうえで、複数のデータに基づく画像形成を行わせることができる。
【００６６】
＜変形例３＞
変形例３にかかる携帯端末装置では、フリック操作のフリック方向が印刷指示画面Ｄ１に配置された複数の装置アイコンのうちの２つの装置アイコンの間に位置する場合に、当該２つの装置アイコンに対応する２つの画像形成装置のうちの何れか１つの画像形成装置に画像形成を行わせる。
【００６７】
図９（Ａ）に示す例では、データアイコンｄ２の位置を始点とし、装置アイコンｍ２と装置アイコンｍ３との間の位置に向けたフリック操作が行われている。この場合、表示制御部２０２は、装置アイコンｍ２に対応付けられた「MFP＿B」の画像形成装置１０、および装置アイコンｍ３に対応付けられた「MFP＿C」の画像形成装置１０の何れかの画像形成装置に画像形成を行わせるかを受け付けるための受付画面Ｄ４を表示部２２０に表示させる(図９（Ｂ）参照)。
【００６８】
そして、指示生成部２０４は、受付画面Ｄ４に配置された選択ボタンに対する押下操作に応じて選択された画像形成装置を、画像形成を行わせる画像形成装置１０として特定する。
【００６９】
このように、変形例３にかかる画像形成装置では、フリック操作のフリック方向が複数の装置アイコンのうちの２つの装置アイコンの間に位置する場合であっても、ユーザーが所望する画像形成装置に画像形成させることができる。
【００７０】
＜変形例４＞
変形例４にかかる携帯端末装置では、指示生成部２０４が、フリック操作のフリック方向が印刷指示画面Ｄ１に配置された複数の装置アイコンのうちの２つの装置アイコンの間に位置する場合に、当該２つの装置アイコンに対応する２つの画像形成装置を、画像形成を行わせる画像形成装置として特定する。すなわち、図９（Ａ）に示すようなフリック操作が入力された場合、指示生成部２０４は、「MFP＿B」の画像形成装置１０および「MFP＿C」の画像形成装置１０を画像形成を行わせる画像形成装置として特定する。
【００７１】
また、変形例３にかかる携帯端末装置の表示部２２０に表示される受付画面Ｄ４（図９（Ｂ）参照）に、２つの画像形成装置の両方に画像形成を行わせることを受け付けるためのボタンを配置してもよい。当該ボタンに対する押下操作を操作受付部２０３が受け付けた場合、指示生成部２０４は、「MFP＿B」の画像形成装置１０および「MFP＿C」の画像形成装置１０を、画像形成を行わせる画像形成装置として特定する。
【００７２】
＜その他の変形例＞
上記の実施の形態および変形例では、表示入力装置の一例として携帯端末装置を示したが本発明は必ずしもこの場合に限定されない。本発明の一実施形態にかかる表示入力装置は、携帯端末装置の他に、例えば、画像形成装置、パーソナルコンピューター、テレビ等に適応することができる。
【符号の説明】
【００７３】
１０    画像形成装置
２０    携帯端末装置
１００  制御ユニット
１０１  制御部
１０２  表示制御部
１０３  操作受付部
１０４  認証部
１０５  通信制御部
１１０  画像読取部
１２０  画像形成部
１３０  表示部
１４０  タッチパネル
１５０  操作部
１６０  記憶部
１７０  通信部
２００  制御ユニット
２０１  制御部
２０２  表示制御部
２０３  操作受付部
２０４  指示生成部
２０５  通信制御部
２１０  表示部
２２０  タッチパネル
２３０  記憶部
２４０  通信部
【図１】
2018006928.tif 000003
【図２】
2018006928.tif 000004
【図３】
2018006928.tif 000005
【図４】
2018006928.tif 000006
【図５】
2018006928.tif 000007
【図６】
2018006928.tif 000008
【図７】
2018006928.tif 000009
【図８】
2018006928.tif 000010
【図９】
2018006928.tif 000011